(57)【要約】【課題】  粒状体を繰り出す繰出部の調節やメンテナンスが容易になるようにする。【解決手段】  本発明の播種機１は、圃場Ｈを走行自在に支持された機体４と、該機体４の左右両側にそれぞれ配設され、粒状体としての種子を繰り出す一対の繰出部３６とを備え、各繰出部３６は、それぞれの反機体側へ取り外し可能に、それぞれの機体側から機体４に片持ち支持されている。各繰出部３６は、ぞれぞれ機体４の左右方向における取付位置を調節可能に支持されている。【選択図】      図１
2006345733.tif 000002
【特許請求の範囲】
【請求項１】
圃場を走行自在に支持された機体と、該機体の左右両側にそれぞれ配設され、粒状体を繰り出す一対の繰出部とを備え、
前記各繰出部は、それぞれの反機体側へ取り外し可能に、それぞれの機体側から前記機体に片持ち支持されている播き機。
【請求項２】
前記各繰出部は、ぞれぞれ前記機体の左右方向における取付位置を調節可能に支持された請求項１記載の播き機。
【請求項３】
前記各繰出部は、それぞれの下側に圃場に溝を形成するための溝掘器が取り付けられているとともに、前記機体の左右方向に延び、該機体に設けられた軸受けに回転自在に支持された駆動軸を介して前記粒状体を繰り出すための駆動力を入力するように構成されており、
前記駆動軸は、その軸心が前記軸受けの軸心に対して傾くことが可能に、前記軸受けに遊びをもって支持されている請求項１又は２記載の播き機。
【請求項４】
前記駆動軸に駆動力を伝達するための伝動機構は、前記機体の左右方向における中央に配設された請求項１〜３のいずれか一項に記載の播き機。
【発明の詳細な説明】
【技術分野】
【０００１】
本発明は、種子、肥料等の粒状体を一定量ずつ、又は点播で播くための播き機に関するものである。
【背景技術】
【０００２】
従来の播き機として、特許文献１に記載された播種機８１を例示する。この播種機８１は、図７に示すように、左右一対の側フレーム８４ａ，８４ａと、該両側フレーム８４ａ，８４ａを連結する横フレーム８４ｂとを備えた機体８４を備えている。両側フレーム８４ａ，８４ａは前後方向に延設されており、該両側フレーム８４ａ，８４ａの間には、接地輪８２、播種装置８５、作溝器（図示略）、覆土板１００、鎮圧輪８３等の機能要素部がそれぞれ支持されている。
【０００３】
【特許文献１】特開平９−１０７７３１号公報
【発明の開示】
【発明が解決しようとする課題】
【０００４】
ところが、前記各機能要素部が両側フレーム８４ａ，８４ａの間に配置されているため、該各機能要素部を交換したり、該各機能要素部における消耗品を交換したりするときに、各機能要素部の着脱が行い難いという課題がある。特に、接地輪８２、播種装置８５の繰出ロール（図示略）、鎮圧輪８３等のように左右に延びる軸を中心に回転する機能要素部は軸の両端側が両側フレーム８４ａ，８４ａにそれぞれ支持されており、さらに、該軸にはそれを回転駆動するための駆動要素（エンジン、モータ、スプロケット、ギヤー等）が設けられていることもあるため、着脱が行い難くなっている。
【課題を解決するための手段】
【０００５】
上記課題を解決するために、本発明の播き機は、圃場を走行自在に支持された機体と、該機体の左右両側にそれぞれ配設され、粒状体を繰り出す一対の繰出部とを備え、
前記各繰出部は、それぞれの反機体側へ取り外し可能に、それぞれの機体側から前記機体に片持ち支持されている。
【０００６】
この構成によれば、前記各繰出部は、その機体側から前記機体に片持ち支持されているので、該反機体側を広く解放しておくことができ、前記繰出部を該反機体側へ簡単に取り外すことができ、該繰出部の調節やメンテナンスが容易になる。また、前記繰出部を前記機体の両側にそれぞれ備えているので、同時に２条の粒状体を播くことができる。また、この構成は、構造がシンプルなので、軽量化が可能になり、低コストに実現することができる。また、この軽量化により、前記機体を進行させる力が少なくて済むし、車輪等の走行手段の接地圧が少なくなり、該走行手段の通過跡の窪みが浅く、水が溜まりにくくなり発芽不良を抑制することができる。
【０００７】
前記各繰出部は、ぞれぞれ前記機体の左右方向における取付位置を調節可能に支持された態様を例示する。
【０００８】
この構成によれば、粒状体を播く条間に応じて両繰出部の間隔を適宜調節することができる。
【０００９】
前記各繰出部は、それぞれの下側に圃場に溝を形成するための溝掘器が取り付けられているとともに、前記機体の左右方向に延び、該機体に設けられた軸受けに回転自在に支持された駆動軸を介して前記粒状体を繰り出すための駆動力を入力するように構成されており、
前記駆動軸は、その軸心が前記軸受けの軸心に対して傾くことが可能に、前記軸受けに遊びをもって支持されている態様を例示する。
【００１０】
この構成によれば、前記機体の進行に伴って前記溝掘器が圃場から受ける抵抗により、前記繰出部が前記機体に対して相対的に後方へ力を受け、この力は、前記機体に繰出部を片持ち支持する部位を介して該機体に掛かる。しかし、前記駆動軸は遊びをもって支持されているので、その力を前記駆動軸が受けないように（又は受け難く）することができる。これにより、前記軸受けや前記駆動軸の摩耗や損傷を防止することができる。
【００１１】
前記駆動軸に駆動力を伝達するための伝動機構は、機体の左右方向における中央に配設された態様を例示する。
【００１２】
この構成によれば、前記両繰出部に効率的に駆動力を伝達するように構成でき、軽量化が可能になる。
【発明の効果】
【００１３】
本発明に係る播き機によれば、粒状体を繰り出す繰出部の調節やメンテナンスが容易になるという優れた効果を奏する。
【発明を実施するための最良の形態】
【００１４】
図１〜図６は本発明を具体化した一実施形態の播き機としての播種機１を示している。この播種機１は、図１及び図２に示すように、前後の車輪としての駆動輪２，２及び鎮圧輪３，３により圃場Ｈを走行自在に支持された機体４と、該機体４の左右両側にそれぞれ配設された播種ユニット５と、駆動輪２の回転を各播種ユニット５に伝動する伝動機構６と、機体４を操縦するためのハンドル８とを備え、機体４の進行に伴って圃場Ｈに種子を播くように構成されている。なお、各図において矢印Ｆは機体前側を指し示している。
【００１５】
機体４は、平面視で前後方向に略直線状に延びるように形成されており、その中央部後側が後斜め上方に向けて折曲形成されている。
【００１６】
機体４の前側部には、図１及び図２に示すように、左右に延びる前軸１１が回転自在に支持されており、該前軸１１の両端側には両駆動輪２がそれぞれ取り付けられている。各駆動輪２は、それぞれの機体側周縁部を該機体４に近接させた状態で、前軸１１に対して相対回転不可能かつ反機体側へ着脱可能に取り付けられている。各駆動輪２の機体側周縁部には、所定間隔をおいて複数のラグ２ａが配設されており、機体４の進行時に駆動輪２のスリップを防止するようになっている。このように、各駆動輪２は、複数のラグ２ａが機体側周縁部に設けられるとともに、機体側周縁部を機体４に近接させた状態で取り付けられているので、両駆動輪２の間に挟みこまれた圃場Ｈの土等を、両駆動輪２の回転に伴って、機体４により落とすことができる。特に、ラグ２ａには土等が付着し易く、この土等を機体４により落とすことができる。また、両駆動輪２の後方には、機体４に支持されたスクレーパ１０が設けられており、該両駆動輪２の周面に付着した土を落とすようになっている。
【００１７】
機体４の前後方向における前側部から中央部にかけて、図５及び図６に示すように、機体４の左右方向における中央には、播種ユニット５に対し、駆動輪２の駆動力を伝達するための変速機能付きの伝動機構６が設けられている。この伝動機構６は、前軸１１に相対回転不可能に取り付けられ、同心円状に複数段にわたり掛止穴１２ａが等間隔に多数穿設された変速回転板１２と、該変速回転板１２の径方向かつ機体前後方向に延びるように、回転自在に支持された伝動軸１３と、該伝動軸１３の長さ方向へ摺動自在、かつ該伝動軸１３の周方向へ相対回転不可能となるように該伝動軸１３の前側部１３ａ（伝動軸１３における変速回転板１２の板面に面している部分）に支持され、掛止穴１２ａに噛合して該伝動軸１３とともに回転するピニオン歯車１４とを備えている。前側部１３ａは、側面視で逆Ｕ字状に形成された回動部材１５により変速回転板１２から離れる方向へ回動自在に支持されるとともに、付勢手段としてのバネ１６により変速回転板１２の板面に近づく方向へ付勢されている。また、伝動軸１３の後側部１３ｂには、互いに直交する方向へ折曲可能な一対の関節部１７，１７が設けられている。各関節部１７は、伝動軸１３の長さ方向へ若干伸縮可能となるように遊びを有している。伝動機構６の変速機能を操作するには、作業者は、一方の手で、伝動軸１３の前側部１３ａを変速回転板１２から離れる方向に移動させることによりピニオン歯車１４の歯を掛止穴１２ａから外し（図６（ｂ）参照）、他方の手で、他の段の掛止穴１２ａに掛合するように伝動軸１３の長さ方向におけるピニオン歯車１４の位置を変更し、ピニオン歯車１４の歯をその掛止穴１２ａに掛合させる（図６（ａ）参照）。
【００１８】
機体４の前後方向における中央部には、図３及び図４に示すように、軸心が機体４の左右方向へ向くように軸受け２１が配設されており、軸受け２１には回転自在にボス部２２が支持されている。伝動軸１３の後端部と、このボス部２２とには、互いに噛合する一対のカサ歯車２３，２４が設けられており、これにより、伝動軸１３の回転がボス部２２に伝動されるようになっている。このボス部２２には、その内径よりも小径の外径を有する駆動軸２５が遊挿されている。そして、ボス部２２及び駆動軸２５における互いの軸長さ方向中央部がピン２６により遊びをもって連結されることにより、駆動軸２５は、その軸心が軸受け２１の軸心に対して傾くことが可能に、軸受け２１に遊びをもって支持されている。
【００１９】
機体４における駆動軸２５の前後側には、機体左右方向にそれぞれ延びる取付フレーム２７がそれぞれ固定されており、該取付フレーム２７には播種ユニット５が取り付けられるようになっている。
【００２０】
機体４の後側部には、図１及び図２に示すように、鎮圧輪３を支持するための後ろ斜め下方に延びる脚部３１が設けられている。脚部３１の先端側には、回転自在に支持された左右に延びる後軸３２が設けられており、該後軸３２の両側には、両鎮圧輪３がそれぞれ取り付けられている。また、両鎮圧輪３の後方には、脚部３１の先端側に支持されたスクレーパ３３が設けられ、両鎮圧輪３の周面に付着した土等を落とすようになっている。
【００２１】
播種ユニット５は、図１〜図４に示すように、平面視で略枠状に形成された基枠部３５と、該基枠部内に下部が装着され、粒状体としての種子を繰り出す一対の繰出部３６と、該基枠部３５の下側に取り付けられ、繰出部３６から繰り出された種子を圃場Ｈに埋めるための溝を形成するとともに播種後の溝に土を寄せて覆土する一対の溝掘覆土部３７とを備えている。
【００２２】
基枠部３５は、前枠片３５ａ、後枠片３５ｂ、内側枠片３５ｃ、及び外側枠片３５ｄにより略枠状に形成されており、前枠片３５ａ、後枠片３５ｂ、及び内側枠片３５ｃは一体化されている。外側枠片３５ｄは、図３に示すように、その後端部が後枠片３５ｂに開閉自在に支持されるとともに、その前端部が前枠片３５ａに係脱可能に係止されている。内側枠片３５ｃ及び外側枠片３５ｄには、駆動軸２５が挿通される穴３９が形成されており、外側枠片３５ｄの穴３９は、駆動軸２５が貫通した状態でも外側枠片３５ｄが開閉可能となるように、前方に延びる長穴となっている。そして、外側枠片３５ｄを開き、基枠部内に繰出部３６の下部を装着するようになっている。
【００２３】
前枠片３５ａには、前側の取付フレーム２７がスライド自在に嵌入する穴４１ａを有する筒体４１が取り付けられており、固定ボルト４２により、取付フレーム２７に対して筒体４１を固定するようになっている。後枠片３５ｂには、後側の取付フレーム２７がスライド自在に嵌入する穴４３ａが形成された、後方へ延びる突片４３が取り付けらている。このように、播種ユニット５は、反機体側へ取り外し可能に、機体側から機体４に片持ち支持されるとともに、図３及び図４に示すように、機体４の左右方向における取付位置が調節可能になっている。
【００２４】
また、前枠片３５ａには、溝掘覆土部３７に突設された上方に延びる取付ポール４５がスライド自在に嵌入する穴４４ａを有する筒体４４が取り付けられており、該穴４４ａに挿入された取付ポール４５は、固定ネジ４６により上下位置調節可能に固定されるようになっている。
【００２５】
繰出部３６は、種子ホッパ５１内の種子を繰り出す繰出手段としての繰出ロール５２を内蔵している。繰出ロール５２のロール軸５３及び駆動軸２５のそれぞれにおける反機体側先端には、互いに噛合する歯車５４，５５が取り付けられている。ロール軸側の歯車５４は、ロール軸５３にネジ５６で着脱可能に取り付けられている。駆動軸２５側の歯車５５は、駆動軸２５の軸長さ方向にスライド可能、かつ、駆動軸２５の周方向に相対回転不可能、かつ、着脱可能に駆動軸２５に装着されており、内側枠片３５ｃ及び外側枠片３５ｄにそれぞれ設けられた位置決め部材５７，５８により、軸長さ方向の両側が位置決めされるようになっている。また、図１、図３及び図４に示すように、繰出部３６における種子出口には、種子の偏りを防止するための筒体６１が取り付けられている。この筒体６１は、下側になるほど筒穴が狭くなるように、後側の筒壁６１ａの内面が前方かつ斜め上方を向くように斜状に設けられており、該後側の筒壁６１ａには、種子が通過可能な複数の穴６１ｃが偏りなく配設されている。そして、種子出口から落下する種子は、筒壁６１ａの穴６１ｃを通過したり、筒体６１の下側の筒穴６１ｂを通過したりすることにより、偏りなく圃場Ｈに播かれるようになっている。
【００２６】
溝掘覆土部３７は、舟型に形成された溝掘器６３と、該溝掘器６３の後側に取り付けられた土寄せ板６４と、溝掘器６３の前側上端部に立設され、基枠部３５の筒体４４に挿入される取付ポール４５とを備えている。
【００２７】
以上のように構成された本例の播種機１によれば、繰出部３６を備えた各播種ユニット５は、その機体側から機体４に片持ち支持されているので、該反機体側を広く解放しておくことができ、播種ユニット５を該反機体側へ簡単に取り外すことができ、播種ユニット５の各部の調節やメンテナンスが容易になる。また、播種ユニット５を機体４の両側にそれぞれ備えているので、同時に２条の粒状体を播くことができる。また、この構成は、構造がシンプルなので、軽量化が可能になり、低コストに実現することができる。また、この軽量化により、機体４を進行させる力が少なくて済むし、走行手段としての駆動輪２，２及び鎮圧輪３，３の接地圧が少なくなり、該走行手段の通過跡の窪みが浅く、水が溜まりにくくなり発芽不良を抑制することができる。
【００２８】
また、繰出部３６を備えた各播種ユニット５は、ぞれぞれ機体４の左右方向における取付位置を調節可能に支持されているので、粒状体を播く条間に応じて両播種ユニット５の間隔を適宜調節することができる。
【００２９】
また、機体４の進行に伴って溝掘器６３が圃場Ｈから受ける抵抗により、繰出部３６も機体４に対して相対的に後方に向かう力を受け、この力は、主に取付フレーム２７を介して機体４に掛かる。しかし、駆動軸２５は遊びをもって支持されているので、その力を駆動軸２５が受けないように（又は受け難く）することができる。これにより、軸受け２１や駆動軸２５等の摩耗や損傷を防止することができる。
【００３０】
また、駆動軸２５に駆動力を伝達するための伝動機構６は、機体４の左右方向における中央に配設されているので、両播種ユニット５の繰出部３６に効率的に駆動力を伝達するように構成でき、軽量化が可能になる。
【００３１】
なお、本発明は前記実施形態に限定されるものではなく、例えば以下のように、発明の趣旨から逸脱しない範囲で適宜変更して具体化することもできる。
（１）伝動機構６の機械的構成を適宜変更すること。
（２）走行手段（駆動輪２，２又は／及び鎮圧輪３，３を原動機により駆動するように構成すること。
【図面の簡単な説明】
【００３２】
【図１】本発明を具体化した一実施形態に係る播き機としての播種機の側面図である。
【図２】同播種機の平面図である。
【図３】図１のＩＩＩ−ＩＩＩ線断面図であり、一対の播種ユニットの間隔を最も狭めた状態を示す図である。
【図４】図３と同様の断面図であり、一対の播種ユニットの間隔を最も広げた状態を示す図である。
【図５】図２のＶ−Ｖ線断面図である。
【図６】図５のＶＩ−ＶＩ線断面図である。
【図７】従来の播種機を示す平面図である。
【符号の説明】
【００３３】
１  播種機
２  駆動輪
３  鎮圧輪
４  機体
５  播種ユニット
６  伝動機構
８  ハンドル
２１  軸受け
２２  ボス部
２５  駆動軸
２６  ピン
２７  取付フレーム
３６  繰出部
３７  溝掘覆土部
６３  溝掘器
６４  土寄せ板
Ｈ  圃場
【図１】
2006345733.tif 000003
【図２】
2006345733.tif 000004
【図３】
2006345733.tif 000005
【図４】
2006345733.tif 000006
【図５】
2006345733.tif 000007
【図６】
2006345733.tif 000008
【図７】
2006345733.tif 000009